(57)【要約】【課題】サイズを大きくしないで電気ビアと光ビアを共存させたビアホールを持つＥＭＩフリーの光電融合配線基板を提供することである。【解決手段】光電融合配線基板は、電気配線層、及び電気配線層に設けられたビアホール１０２を有する。ビアホール１０２は電気信号伝送機能と光信号伝送機能を併せ持つ【選択図】　　　図１
2004069798.tif 000002
【特許請求の範囲】
【請求項１】
電気配線層及び該電気配線層に設けられたビアホールを有する光電融合配線基板であって、該ビアホールは電気信号伝送機能と光信号伝送機能を併せ持つことを特徴とする光電融合配線基板。
【請求項２】
少なくとも１つの層からなり、前記ビアホールは、該基板にほぼ垂直な方向に伸びる単一のビアホールで電気的かつ光学的に接続する光電融合ビアであることを特徴とする請求項１記載の光電融合配線基板。
【請求項３】
複数の電気配線層、或いは少なくとも一層の電気配線層と少なくとも一層の光配線層からなることを特徴とする請求項１または２記載の光電融合配線基板。
【請求項４】
前記ビアホールを介する電気接続と光学接続を任意に切り換える機能を有することを特徴とする請求項１、２、または３記載の光電融合配線基板。
【請求項５】
電気配線層と光配線層が積層された光電融合配線基板であって、該基板の表面或いは内部に複数の電子デバイスが配置され、電気配線層は、前記電子デバイスを互いに電気的に接続する電気配線を内蔵し、光配線層は２次元光導波路構造を有し、そして層間が前記ビアホールで接続されていることを特徴とする請求項１乃至４の何れかに記載の光電融合配線基板。
【請求項６】
前記ビアホールは、ビアホールの内壁面に導電体が積層され、中心部には、誘電体材料が充填されてなることを特徴とする請求項１乃至５の何れかに記載の光電融合配線基板。
【請求項７】
層間を貫く前記ビアホールの先端付近に、ＯＥ（光−電気）或いはＥＯ（電気−光）変換のための、光ＩＯデバイスが配置されていることを特徴とする請求項１乃至６の何れかに記載の光電融合配線基板。
【請求項８】
電子デバイス及び光デバイスが配置された光電融合基板であって、少なくとも２層から構成され、該基板の第１層には、電子デバイス及び光デバイスが配置され、且つこれらを結合する電気配線が配置され、該基板の第２層には２次元光導波路が形成され、光デバイスは該光導波路に光を送出する機能と該光導波路から導波している光を受光する機能の少なくとも１つの機能を有し、さらに前記ビアホールが、電子デバイスからの電気信号を伝える電気配線を層間で接続する機能と、ビア先端付近に配置された光デバイスによってＥＯ変換された電気信号から形成された光信号を光のまま伝送してビア他端近傍に配置された他の光デバイスに導き、ここでＯＥ変換された電気信号を他の層の電気配線に接続する機能とを共に有することを特徴とする請求項１乃至７の何れかに記載の光電融合配線基板。
【発明の詳細な説明】
【０００１】
【発明の属する技術分野】
本発明は、ＣＰＵやメモリ等のＬＳＩが高密度に実装された光電融合配線基板などである光電融合ビアを有する光電融合配線基板に関する。
【０００２】
【従来の技術】
携帯電話や個人情報端末（ＰＤＡ）は、速い処理速度、及び小型・軽量であることが同時に求められる。しかしながら、処理速度が上がるにつれ、電子回路基板内における配線遅延の影響が大きくなることが指摘されている。これを防ぐには、チップ内及びチップ間の配線を極力短くすることが最も単純な方法である。このことは、基板の小型化にも繋がるため、これまで多くの提案がなされてきた。
【０００３】
一方で、処理速度が上がるにつれ、別の問題が顕在化してきた。それはＥＭＩ（電磁放射干渉ノイズ）である。電子部品同士が近接して配置されることから、配線は短くなるが、配線密度は高くなる。この結果、近接した信号線に高速の信号が流れた場合、相互の電磁誘導により電磁波が干渉し合ってノイズを発生し、信号が正しく伝送できなくなる。特にモバイル端末では、低電圧化が進む影響で、従来より大電流で駆動されるケースが増えており、ＥＭＩの影響が大きくなってきている。
【０００４】
これを防ぐ方法として、例えば、セラミック基板を多層にすることで、層ごとのＥＭＣ（電磁放射ノイズ耐性）を高める方策が通常とられている。しかし、この方法は、コストや歩留まりの点で問題があると共に、本質的にＥＭＩフリーとすることはできない。
【０００５】
さらに、既存の配線パターンを前提に、新たに電子デバイスを追加しようとする場合、当該電子デバイスにより既存の回路群が影響を受けることもある。即ち、回路上の特定のデバイスにより生じるＥＭＩの影響を回避したい場合がある。この観点からも、ＥＭＩフリーとする為に、本質的に電磁無誘導の利点を有する光配線を用いる方法が提案されている。
【０００６】
例えば、特開平９−９６７４６号公報は、次の様な方法を開示している。この方法は、光配線部と電気配線部を分離し、光スイッチや光変調器で電子機器からの信号電圧によって電気信号を光信号に変換して伝送し、光配線部の異なる場所にある受光素子により再び光信号を電気信号に変換し、他のまたは同一の機器との間で電気的な接続を行うものである。
【０００７】
この方法は、電気配線のデメリットを光配線で補うというものであるが、光配線を伝送線路（或いはファイバ）で行っている為に、光配線をする場所を予め決めておく必要がある。即ち、電気配線層の任意の場所を起点として光配線を行うことは不可能である。また、予め伝送線路としての光導波路を形成する必要があるため、製造プロセスも複雑なものにならざるを得なかった。
【０００８】
一方、電気配線層と光配線層を多層にして構成し、電気配線層は従来の設計思想そのままに構築し、光配線層は２次元（シート状）の光導波路層として任意の配線パターンを許容する構成にする構造が考えられ、これは多くの問題を解決するものと期待される。
【０００９】
【発明が解決しようとする課題】
しかし、上記の方法は、いずれも多層構成にして問題を解決する手法がとられており、層方向（積層方向、すなわち層面に対して垂直な方向）の高速伝送については、電気配線では、電気ビアが一般的に用いられている。これは各配線層をビアで貫通し、電気配線を行なうものであるが、以下の問題点がある。
（１）ビア占有面積（ビアサイズ＋ランドサイズ）を小さくすることは困難である。
（２）ビアがインピーダンスの不連続点になりやすいため、設計が困難である。
（３）ビアが新たなＥＭＩ発生源になりやすい。
【００１０】
これに対して、主に（２）及び（３）を改善する為に、上記電気ビアに対し光ビアも考えられる。この光ビアを、単にビアにメッキをせずに光の通り道とするものとすると、完全な固定配線となってしまうが、ＥＭＩフリーで直接接続できるメリットがある。しかし、基板面積が小さいモバイル機器では、依然として、（２）及び（３）とトレードオフの関係にある（１）の問題は残る。
【００１１】
本発明の目的は、高速かつ小型でＥＭＩフリーの高密度実装可能な光電融合配線基板などの光電融合ビアを有する光電融合配線基板、すなわちサイズを大きくしないで電気ビアと光ビアを共存させた光電融合ビアを持つ光電融合配線基板を提供することにある。
【００１２】
【課題を解決するための手段】
上記目的を達成する本発明の光電融合配線基板は、電気配線層及び該電気配線層に設けられたビアホールを有する光電融合配線基板であって、該ビアホールは電気信号伝送機能と光信号伝送機能を併せ持つことを特徴とする。
【００１３】
上記基本構成に基づいて以下の如き態様が可能である。
少なくとも１つの層からなり、前記ビアホールは、基板にほぼ垂直な方向に伸びる単一のビアホールで電気的かつ光学的に接続する光電融合ビアである形態を採り得る。光電融合配線基板は、例えば、複数の電気配線層、或いは少なくとも一層の電気配線層と少なくとも一層の光配線層という様に多層からなる。また、ビアホールを介する電気接続と光学接続を任意に切り換える機能を持たせることもできる。この機能はＬＳＩなどの電子デバイスで行われる。勿論、電気接続と光学接続が同時独立的に使われる構成も採り得る。光電融合配線基板を多層にする場合、電気ビアと光ビアが共存する必要性が増してくる。その理由は、配線層間をデータ伝送するには配線遅延や符号劣化が起こりやすくなるし、電気ビアだけでは、インピーダンス整合がとりにくくなるためである。反面、光ビアだけでは、サイズや消費電力の点で不利となる。高密度基板あればある程これらの影響は大きくなる。従って、本発明による電気ビアと光ビアを融合したビアホールないし光電融合ビアを有する光電融合配線基板が必要になってくるのである。
【００１４】
また、より具体的には、電気配線層と光配線層が積層された光電融合配線基板であって、該基板の表面或いは内部に複数の電子デバイスが配置され、電気配線層は、前記電子デバイスを互いに電気的に接続する電気配線を内蔵し、光配線層は、フィルムないしシート状の２次元光導波路構造を有し、そして前記適当な層間が電気信号も光信号も伝送できる機能を有するビアホールで接続されている形態も採り得る。
【００１５】
前記ビアホールないし光電融合ビアは、例えば、断面が円形であるビアホールの内壁面にメタル材２０１が積層され、中心部には、誘電体材料２０２が充填されてなる形態を採り得る（図２（ｂ）参照）。中心部を空洞にしてもよいが、その場合は、電気ビア部であるメッキ層上に誘電体層を形成して光ビア部との分離を確実にすると、互いの信号の乱れが抑えられて信号伝送上よい。ビアホール内壁面に、分離したメタルが複数条形成されて複数の電気配線部２０１が単一の光電融合ビア内に設けられてもよい（図２（ｃ）参照）。ビアホールは、途中から光ビアのみになる様に形成されてもよい。また、ビアホールの先端付近には、ＯＥ（光−電気）或いはＥＯ（電気−光）変換のための、光ＩＯ（Ｉｎｐｕｔ／Ｏｕｔｐｕｔ）デバイスが配置されている形態も採り得る。光ＩＯデバイスは、面発光レーザやフォトダイオードなどの光デバイスに駆動回路、受信回路などを一体的に設けたユニットを意味する。
【００１６】
また、より具体的には、電子デバイス及び光デバイスが配置された光電融合基板であって、少なくとも２層から構成され、該基板の第１層には、電子デバイス及び光デバイスが配置され、且つこれらを結合する電気配線が配置され、該基板の第２層には２次元光導波路が形成され、光デバイスは該光導波路に光を送出する機能と該光導波路から導波している光を受光する機能の少なくとも１つの機能を有し、さらにビアホールが、電子デバイスからの電気信号を伝える電気配線を層間で接続する機能と、ビア先端付近に設置された光デバイスによってＥＯ変換された電気信号から形成された光信号を光のまま伝送してビア他端近傍に配置された他の光デバイスに導き、ここでＯＥ変換された電気信号を他の層の電気配線に接続する機能とを共に有する構成も採り得る。
【００１７】
【作用】
高速なデータ（例えば１Ｇｂｐｓ）がメタル配線によって近接して配置されているとき、その近傍の電磁放射ノイズの強さは、「発生源の強さ（信号周波数、信号波形、駆動電流など）」×「伝達係数（そのメタル配線と電源ラインとの共振、近接するラインとの結合など）」×「アンテナ要因（そのメタル配線のコネクタや電極の形態など）」で表される。つまり、単純化して言えば、配線長が長いほど、電流値が大きいほど、信号のスピードが速いほど、また信号パルスが矩形波に近いほど、ノイズレベルが高くなる。従って、ＣＰＵ近傍でメタル配線を用いる限りＥＭＩを根本的に除去することはできない。
【００１８】
一方、配線に光を用いることで、これらを一気に改善することが可能である。
即ち、光配線では、電磁誘導がないために伝達係数がゼロとなるからである。反面、光配線は、１本当たりの配線の物理的大きさが、光導波路を用いる限り電気配線に比べて一桁以上大きいため、全ての電気配線を光配線に変更すると、サイズが大きくなったり、曲げによる損失が大きくなるなどのデメリットの方が大きくなる。さらに、光配線を導入することで、従来の電気配線パターンの変更を余儀なくされるデメリットもある。この解決策として、電気配線は従来通りの配線パターンとし、光配線のみを２次元空間に光を伝送させる光フィルムないしシートを用いることが考えられ、これにより上記の問題は緩和されつつある。しかし、電気配線層と光配線層を多層にした場合の層間におけるデータ転送方法に関しては、単純な電気ビア或いは光ビアのみが提案されているに過ぎない。
【００１９】
特に、層間のデータ転送を電気的ビアのみで行なうとすると、多くの面積がとられ、部品レイアウトに制限を与えたり、ビアがインピーダンス不連続点を与えて配線遅延や信号劣化の原因になることが指摘される。また、光ビアで行なおうとすると、電気ビア以上に面積がとられるため、多くの光ビアを導入することは困難である。そこで、光電融合配線基板の概念をビアにも適用することで、柔軟性が高い光配線が可能となる。即ち、本発明の光電融合配線基板では、電気ビアの内側を光ビアとし、電気でも光でもデータ転送が可能な光電融合ビアを用いる構成とした。
【００２０】
こうした光電融合ビアにおいて、電気ビア部は、高速データがその表面近傍（１００ＭＨｚで数１００ｎｍの深さ程度）にしか流れない（いわゆる表皮効果）ため、導電体層を厚くつける必要はない。周波数が高くなる程その厚さは薄くなる。従って、その中心部（コア部）は、電気信号の伝送路としては使用されないので、光ビア部として利用できる。その部分は空洞でもよいが、より光導波性を高めるために、誘電体を埋め込んでその中心部分で屈折率が高くなる様にするとよい。このことで、光信号を中心部に閉じ込めて導波できる。
【００２１】
また、或る１つの光電融合ビアは、決まった素子のデータのみを伝えるだけに使用される訳ではない。１つの光電融合ビアを共用して複数の素子のデータを伝送することもできる。光電融合ビアをどのように用いるかは、光電融合配線基板に設けられたＬＳＩなどの電子デバイスにおいて場合に応じて適当に設計すればよい。
【００２２】
本発明の光電融合配線基板において、光電融合ビアは３次元配線する上で不可欠な手段である。しかし、光配線層を導入することで、任意の位置にビアが形成できなくなるとしたら大きなデメリットとなる。本発明の１つの形態では、フィルム状の光導波路層を用いているため、任意の位置に光電融合ビアが形成されて光導波路層を貫いても、光信号は２次元的に拡散しながら光導波路層内を伝播するため、ビアの影響は無視できる。即ち、この構造では、従来の設計指針に影響を与えることなく、ＥＭＩフリーの光配線を導入できる。ただし、線状の１次元導波路も用いることはできる。
【００２３】
【発明の実施の形態】
以下に、本発明の実施の形態を明らかにすべく、具体的な実施例を図面を参照しつつ説明する。
【００２４】
（実施例１）
本発明の光電融合配線基板の実施例１について図１を用いて説明する。図１において、１０１は複数の電気配線層からなる多層配線層、１０２は光電融合ビア、１０３は電気ビア、１０４は電気配線層内部に設けられた電気配線、１０５は多層配線層１０１にフリップチップ実装されたＬＳＩ、１０６は光ＩＯデバイスである。光ＩＯデバイス１０６は、送信器としては、面発光レーザ（例えば、波長０．８μｍ、光出力１ｍＷ）などが用いられ、受光器としては、ｐｉｎフォトダイオード（ＳｉでもＧａＡｓでも良い）などが用いられる。図２（ａ）は光電融合ビア１０２の縦方向に渡る拡大断面図である。図２（ａ）において、２０１は電気配線部、２０２は光配線部である。電気配線部２０１はメタル、光配線部２０２は誘電体それも屈折率が中心部で高くなっている導波型が望ましい。電気配線部２０１では、電気信号のみが、光配線部２０２では光信号のみが伝播する。基本的には、１つの信号を電気でも光でも流せる機能をもつ。光ＩＯデバイス１０６の送信部は、電気信号（ロジック信号）で直接駆動できる低電圧・低電流動作のＶＣＳＥＬ（面発光レーザ）が適当である。受信部は、同じく低電圧・低電流動作可能な集積型ｐｉｎＰＤ／アンプが適している。
【００２５】
通常、１０Ｍｂｐｓ程度の低伝送レートであれば、フィルタやシールドを入れておけば、ＥＭＩやＥＭＣを心配する必要はない。従って、この場合は、上記光電融合ビア１０２の電気配線部を用いて伝送する。勿論、フィルタやシールドを入れて置かないで、もっと低伝送レートのところから光配線部を用いて伝送する様に設計してもよい。ところが、１００Ｍｂｐｓを超える辺りからは、配線長に依存して、ＥＭＩを発生したり、外部電磁波環境に敏感になる。この場合には、電気配線部のみでデータ転送をすると、自分自身だけでなく他の回路にも影響を与える可能性が出てくるので、光配線部を用いてこの問題を解決する。
【００２６】
以下に図３を用いて光電融合ビア１０２の製造方法について述べる。
（１）多層基板１０１の所望の位置に貫通ビア３０１を、レーザ或いはフォトリソグラフィとエッチングで作製する（図３（ａ））。
（２）無電界メッキなどのメッキ法或いはスパッタリングにより、該ビア３０１の内壁側面のみにＡｕ或いはＣｕなどの導電体層３０２を積層する（必要に応じて下地層に誘電体層を挟んでもよい）（図３（ｂ））。
（３）光配線部となる中心部に、誘電体層３０４を充填する（図３（ｃ））。ここでは、光が中心部のみに閉じ込められるように、中心部の屈折率が高くなるような充填材（例えば、ＰＭＭＡ）を選んだ。これにより、電気信号と光信号が充分に分離されて伝送される。
（４）貫通ビア３０１の上下端近傍の層にビア端面に合わせて、前記光ＩＯデバイス（送信器及び受光器）１０６を配置する（図３（ｄ））。
（５）必要であれば、その上にさらに配線の為にビルドアップ層等を積層してもよい。
この構成により、選択的に、或いは同時独立的に、導電体層３０２を介して電気信号１０７を伝送でき、誘電体層３０４を介して光信号１０８を伝送できる。
【００２７】
次に、本実施例の機能について、ＬＳＩ１０５ａからＬＳＩ１０５ｂへのデータ転送例を取って図１と図２を用いて説明する。
（１）ＬＳＩ１０５ａは、光電融合ビア１０２の電気配線部２０１を用いて電気信号をＬＳＩ１０５ｂに転送する。この際、諸々の理由で転送に失敗したとする。
（２）そこで、データ転送媒体を光電融合ビア１０２の光配線部２０２に切り換える。こうした切り換えは、この切り換えを行う様に予め設計された伝送プロトコルに従って行われる。
（３）この切り換えの後、ＬＳＩ１０５ａからの電気信号は、近傍の電気配線層中にある光ＩＯ素子１０６ａによりＥＯ変換され、光信号として光電融合ビア１０２の光配線部２０２を用いてビア他端まで転送される。
（４）この光信号は、ＬＳＩ１０５ｂ近傍の電気配線層中に設置された光ＩＯ素子１０６ｂで受光されてＯＥ変換され、変換で得られた電気信号は、ＬＳＩ１０５ｂに取り込まれる。
【００２８】
以上のように、光電融合ビア１０２は電気信号でも光信号でもデータを転送でき、これを含む光電融合配線基板を適当に設計することで柔軟且つ確実にＥＭＩフリーで信号が伝送できる。
【００２９】
（実施例２）
図４は本発明の実施例２の光電融合配線基板を示す模式断面図である。実施例２の光電融合配線基板では、光配線フィルム４０２を含む多層基板１０１に光電融合ビア１０２が形成されている。以下に実施例１との相違点を中心に説明する。
【００３０】
実施例１との相違点は、（１）多層基板１０１中に光配線層（単層）４０２が挿入されていること、（２）該光配線層４０２を伝播した光が光電融合ビア１０２の光配線部２０２を通って伝送されること、（３）或いは、光ＩＯデバイス１０６から射出されて光電融合ビア１０２の光配線部２０２を伝播した光が光配線層４０２に２次元的に伝播することである。共通点は、光電融合部分（光フィルム４０２＋光電融合ビア１０２）では光でも電気でもデータ転送できることである。２次元（２Ｄ）光配線層４０２は適当な透明ポリマーで形成されている。
【００３１】
本実施例は、この電気配線層と光配線層が積層された光電融合基板に光電融合ビア１０２を適用することにより、３次元（３Ｄ）方向に光電融合化を図ったものである。
【００３２】
以下に、その製造方法について説明する。以下に述べる製造過程の順序は場合に応じて適当に変更され得る。
（１）多層基板１０１中に２Ｄ光導波路層（光配線層）４０２を形成する。ここでは、例えば、光導波路層４０２を多層電気配線層で挟んで形成される。この時点において、光導波路層４０２内の適当な個所に円錐形ミラーなどである散乱体４０１を配置しておいてもよい。
（２）光電融合基板の所望の位置に光配線層４０２に達するまでビア１０２、１０３を形成する。
（３）光配線層４０２中に、光電融合ビア１０３からの光が該光配線層中に伝播可能なように散乱体４０１を埋め込む。この散乱体４０１はここでは円錐状の金属構造体を用いたが、半球などでもいい。配置方法は、上記した様に予め光配線層４０２に埋め込んで置いてもよいし、或いは、光電融合ファイバに予め形成しておいてもよい。後者の場合の例を図５に示した。図５において、５０１は光電融合ファイバである光電融合ビアの先端を円錐状に加工した光散乱体である。散乱体５０１と光導波路層４０２の屈折率を異なる様にすることで光路変更が可能となる。
（４）実施例１にならって、或いは、図５の光電融合ファイバをビアに挿入して適当に熱処理などをすることで、光電融合ビア１０２を作製する。電気ビア１０３は、ビア内に導電体を満たすことで形成される。この結果、（３）のいずれの方法を用いても、光電融合ビア１０２の光配線部中を伝播してきた光は、散乱体４０１、５０１により光路を変更され、２Ｄ光配線層４０２内に拡散していく。或いは、２Ｄ光配線層４０２を伝播してきた光は、散乱体４０１、５０１により光路を変更され、光電融合ビア１０２の光配線部中に伝播する。
（５）実施例１にならって、所望の位置に光ＩＯデバイス１０６を配置する。
【００３３】
以下に本実施例の機能例について説明する。
（１）ＬＳＩ１０５ａは、ＬＳＩ１０５ｂに高速のデータ転送を行なうとき、電気配線では配線遅延やＥＭＩの影響を受けやすくなるため、光配線を選択したとする。
（２）ＬＳＩ１０５ａの電気信号は、近傍の電気配線層中にある光ＩＯ素子１０６によりＥＯ変換され、光電融合ビア１０２の光配線部２０２を介して他端（２Ｄ光配線層４０２）まで転送される。
（３）他端出口にある散乱体４０１により、光は２Ｄ光配線層４０２に拡散され、他のＬＳＩ１０５ｂ近傍の散乱体４０１に達したあと、ここで再度散乱され、他の光電融合ビア１０２に取り込まれる。
（４）他の光電融合ビア１０２を伝播したあと、光はＬＳＩ１０５ｂ近傍の電気配線層中に設置された光ＩＯ素子１０６によりＯＥ変換され、変換で得られた電気信号はＬＳＩ１０５ｂに取り込まれる。
【００３４】
以上のように、本実施例では、層方向だけではなく、層内方向でも光配線と電気配線を使い分けられる。
【００３５】
以下の工程を繰り返す場合は、電気配線層と光配線層が交互に積層された多層の光電融合配線基板を作製することができる。電気配線層（例えば、ＰＭＭＡ）の表面の所望の位置に光ＩＯ素子である後記フォトニックボールＩＣ（球形状デバイス）を実装する。２次元光配線層をその表面に積層する。フォトニックボールＩＣが実装された第２の電気配線層を張り合わせる。所望の位置にビアを開け、メッキ等を施し、光電融合ビア及び電気ビアを形成して電気的コンタクトをとる。
【００３６】
上記球形状デバイスとは、球形状Ｓｉ基板の表面にＧａＩｎＮＡｓ／ＡｌＧａＡｓ系の面発光レーザなどの発光素子や発光素子駆動回路、パラレル／シリアル変換回路などの電子デバイスが集積されたデバイスである。或いは、球形状の受光素子においては、球形状Ｓｉ基板の表面（例えば南半球側）にｐｉｎ層を形成し、また受光部と反対側の半球（例えば北半球）には受光部に逆バイアスを印加する為の回路やアンプ回路などが集積されたデバイスである。
【００３７】
上記実施例では、光配線層は、シート状の光導波路である例を示したが、適用例はこれに限るものではない。例えば、光が完全に閉じ込められた１次元導波路を形成して、４５度ミラーなどを介して１次元導波路と光電融合ビアとを光結合してももよい。ただし、この場合は、シート状の光導波路を用いる場合と比べて光電融合ビアの形成位置は制限されることになる。
【００３８】
（実施例３）
図６は、本発明の実施例３を説明する模式断面図である。実施例３は複数のシート状の光導波路（光フィルム）を用いているので、光フィルム→光電融合ビア→光フィルムという光伝送経路を採り得る構成になっている。実施例１との相違点は、この様に（１）光配線層４０２が多層構造になっていること、（２）光接続が光配線層４０２→光電融合ビア１０２→光配線層４０２の経路をとり得ることである。
【００３９】
以下に製造方法について簡単に述べる。
（１）光ＩＯデバイス１０６が２Ｄ光配線層４０２に埋め込まれた多層光電融合基板を作製する。こうしたデバイスとしては、上記のフォトニックボールＩＣ（球形状発光素子や球形状受光素子）や多数のビームを出射可能なリング状の共振器を有した半導体レーザなどが適している。
（２）上記実施例１及び２に倣って光電融合ビア１０２を作製する。図６の構成では、貫通型光電融合ビア１０２ａと未貫通型光電融合ビア１０２ｂの両方がある。
【００４０】
本実施例が、実施例１及び２と異なっているのは、光電融合ビア１０２が２Ｄ光配線層４０２間を繋ぐこと、及び光ＩＯ素子１０６を光電融合ビア１０２の端に配置するのではなく、２Ｄ光配線層４０２中に埋め込むように配置することである（ただし、リングレーザなどは光電融合ビア１０２の端であって２Ｄ光配線層４０２中に配置して、光を光電融合ビア１０２と２Ｄ光配線層４０２の両方に射出する構成も採り得る）。ビア１０２、１０３を形成した後、多層配線層同士を接着したり、追加層（ビルドアップ層）をさらに積層してもよい。
【００４１】
実施例３の機能例について説明する。
（１）図６において、ＬＳＩ１０５ｂからＬＳＩ１０５ｃにデータを転送する場合を考える。ＬＳＩ１０５ｂとＬＳＩ１０５ｃは電気配線層を介して接続することも可能ではあるが、高速なデータの場合には、ＥＭＩや配線遅延の影響を受けて安定なデータ転送ができないと仮定する。
（２）ＬＳＩ１０５ｂの電気信号を、近傍の電気配線層中にある光ＩＯ素子１０６ａによりＥＯ変換する。その光信号は２Ｄ光配線層４０２ａ中を２次元的に伝播し、光電融合ビア１０２ａに達する。
（３）光電融合ビア１０２ａ先端の散乱体４０１により、光信号は光電融合ビア１０２ａの光配線部２０２に取り込まれ、光電融合ビア１０２ａ中を伝播する。
（４）光信号は他端（２Ｄ光配線層４０２ｃ）まで伝播する。
（５）他端出口にある散乱体４０１により、光は再度散乱され、２Ｄ光配線層４０２ｃ中を伝播する。２Ｄ光配線層４０２ｃ中に配置された光ＩＯ素子１０６ｃにより、光信号はＯＥ変換され、この変換で得られた電気信号は電気配線層を介してＬＳＩ１０５ｃに接続される。即ち、ＬＳＩ１０５ｂのデータ信号が、光信号としてＬＳＩ１０５ｃまで、途中光電変換されることなく一気に転送されたことになる。
【００４２】
この結果、電気配線層が複雑に入り組んでいるところでも、光配線の効果により、柔軟に且つＥＭＩなしで安定にデータ転送できる。本実施例では、２Ｄ光配線層４０２ａはＬＳＩ１０５ｂが使用する例を示したが、２Ｄ光配線層４０２ａは他の電子デバイスも共用できる。即ち、ＬＳＩ１０５ａの電気信号も、同じ２Ｄ光配線層４０２ａを介して他の電子デバイス（例えば、ＬＳＩ１０５ｄ）に転送できる。さらに、他の光電融合ビア１０２ｂや２Ｄ光配線層４０２ｂを用いても、柔軟に伝送路を確立して電子デバイス間でデータ転送できる。以上のように、実施例３でも、層方向だけではなく、層内方向でも光配線と電気配線を使い分けられる。
【００４３】
（実施例４）
上記の実施例では複数の配線層から成っていたが、本実施例は１つの電気配線層６０１のみを含む。各部分の要素は実施例１で説明した通りである。こうした単純な構成にも光電融合ビア１０２を用いることもできる。製造方法、機能については実施例１で説明したものに準じて行われる。
【００４４】
【発明の効果】
以上説明したように、本発明により以下の様な効果が奏される。
（１）光電融合ビアを用いてＥＭＩフリーで信号を送信及び受信ができる光電融合配線基板が実現できる。特に、２次元導波路シートを用いる場合、基板の任意位置に光電融合ビアを配置してもＥＭＩフリーで信号を送信及び受信ができる。
（２）同一の信号を層方向にデータ転送する際、電気配線でも光配線でも自由に選択できる（光配線が電気配線設計を制限しない）。さらには、電気信号と光信号を１つの光電融合ビアを介して転送することもできる。
（３）電気配線層と２次元光導波路層からなる多層光電融合配線基板とすれば、層間の接続を光電融合ビアホールで行なうことにより、電気でも光でも接続が可能になり、柔軟な３次元の光電融合化が実現できる。
【図面の簡単な説明】
【図１】図１は本発明の実施例１の光電融合配線基板を説明する模式断面図である。
【図２】図２は本発明による光電融合ビアの構成例を説明する模式断面図である。
【図３】図３は光電融合ビアの製造工程を説明する模式断面図である。
【図４】図４は本発明の実施例２の光電融合配線基板を説明する模式断面図である。
【図５】図５は本発明による光電融合ビアの構成例を説明する模式断面図である。
【図６】図６は本発明の実施例３の光電融合配線基板を説明する模式断面図である。
【図７】図７は本発明の実施例４の光電融合配線基板を説明する模式断面図である。
【符号の説明】
１０１　　多層配線層
１０２　　光電融合ビア
１０３　　電気ビア
１０４　　内部配線
１０５　　ＬＳＩ
１０６　　光ＩＯデバイス
１０７　　電気信号
１０８　　光信号
２０１、３０２　　光電融合ビアの電気配線部（メッキ層）
２０２、３０４　　光電融合ビアの光配線部（誘電体層）
３０１　　ビアホール
４０１、５０１　　散乱体
４０２　　光配線層
６０１　　電気配線層
【図１】
2004069798.tif 000003
【図２】
2004069798.tif 000004
【図３】
2004069798.tif 000005
【図４】
2004069798.tif 000006
【図５】
2004069798.tif 000007
【図６】
2004069798.tif 000008
【図７】
2004069798.tif 000009
【手続補正書】
【提出日】平成15年8月27日(2003.8.27)
【手続補正１】
【補正対象書類名】図面
【補正対象項目名】全図
【補正方法】変更
【補正の内容】
【図１】
2004069798.tif 000010
【図２】
2004069798.tif 000011
【図３】
2004069798.tif 000012
【図４】
2004069798.tif 000013
【図５】
2004069798.tif 000014
【図６】
2004069798.tif 000015
【図７】
2004069798.tif 000016